(57)【特許請求の範囲】
【請求項１】
被験者の身体に形成される電流路に於いて計測されるインピーダンスと、被験者の身体データとに基づいて体脂肪率を求める体内脂肪計であって、
前記被験者の身体に前記電流路を形成する一対の電流路形成電極と、該電流路形成電極によって形成された前記電流路に於けるインピーダンスを計測する一対のインピーダンス計測電極とを有する電極群と、
前記被験者の前記身体データを入力するための一又は複数のデータ入力キーと、
を備え、
前記データ入力キーの一部又は全てが、前記電極群のうちの一又は複数の電極と兼用され、該兼用されている電極は、前記身体による接触動作により、数値が増加するインクリメントキー又は数値が減少するデクリメントキーとして機能することにより、前記身体データの入力を行うことを特徴とする体内脂肪計。
【請求項２】
前記データ入力キーと兼用されている前記電極には身体の接触を検知する検知回路が接続され、該検知回路が検知する接触の回数により、前記身体データの入力を行うことを特徴とする請求項１記載の体内脂肪計。
【請求項３】
前記データ入力キーと兼用されている前記電極には身体の接触を検知する検知回路が接続され、該検知回路が検知する接触時間により、前記身体データの入力を行うことを特徴とする請求項１記載の体内脂肪計。
【請求項４】
前記データ入力キーと兼用されている前記電極は、可動部と、該可動部の下方に設けられ該可動部への接触動作により押圧される押圧ボタンとを有し、前記押圧ボタンの押圧の回数により、前記身体データの入力を行うことを特徴とする請求項１記載の体内脂肪計。
【請求項５】
前記データ入力キーと兼用されている前記電極は、可動部と、該可動部の下方に設けられ該可動部への接触動作により押圧される押圧ボタンとを有し、前記押圧ボタンの押圧時間により、前記身体データの入力を行うことを特徴とする請求項１記載の体内脂肪計。
【発明の詳細な説明】
【０００１】
【発明の属する技術分野】
この発明は、体内脂肪計に関し、更に詳しくは、体脂肪率を求める際に必要な被験者の身体データの入力や身体のインピーダンスの計測の開始に使用されるキーをインピーダンスの計測等に使用される電極と兼用することにより、従来より数の少ないキーにより構成した体内脂肪計に関する。
【０００２】
【従来の技術】
近年、健康維持の観点より、身体の脂肪率が注目されている。体脂肪率が増加すると成人病などを引き起こす原因となるため、体脂肪率を知ることは健康管理上有用である。体脂肪率を計測するものとして、手で持つタイプや体重計に体脂肪率の計測機能を付与したタイプの体内脂肪計が知られている。このような体内脂肪計では、被験者の体内に電流路を形成してその電流路上に於けるインピーダンスを計測し、その計測値と、被験者が入力した身長、体重等の身体データとに基づいて体脂肪率を計算するものが主流である。
【０００３】
このような体内脂肪計では、上記の身体データを入力するためにテンキーが設けられるのが通常である。また、テンキー以外にインピーダンスの計測を開始するためのスタートキーも設けられる。しかし、テンキーを設けるには最低１０個のキーを必要としこれにスタートキーを加えると合計１１個のキーが必要となるため、製品コストの点で好ましくない。また、これらのキーを設置するスペースがある程度必要なので、より小型化した体内脂肪計を作製しようとする場合には好ましくない。
【０００４】
この問題を解決したものとして、テンキーに代えて、押す度に数値が増加するインクリメントキー及び押す度に数値が減少するデクリメントキーをデータ入力キーとして備えた体内脂肪計がある。インクリメントキー及びデクリメントキーをデータ入力キー用いれば、１０個のテンキーを２個まで減らすことが可能となり、製造コストの低減及び体内脂肪計の小型化が可能となる。
【０００５】
【発明が解決しようとする課題】
しかしながら、更に体内脂肪計の製造コストを低減させ、又は更に小型化した体内脂肪計を作製しようとする場合、インクリメントキー及びデクリメントキーをデータ入力キーとして用いただけでは所期の目的を達成することができない場合がある。
【０００６】
そこで、本発明の目的は、更に必要なキーの数を減らした体内脂肪計を提供することである。
【０００７】
【課題を解決するための手段】
本発明の体内脂肪計は、被験者の身体に形成される電流路に於いて計測されるインピーダンスと、被験者の身体データとに基づいて体脂肪率を求めるものであり、２対の電極からなる電極群を有している。この電極群は、電流路を被験者の身体に形成する一対の電流路形成電極と、電流路形成電極によって形成された電流路に於けるインピーダンスを計測するもう一対のインピーダンス計測電極とを有している。また、本発明の体内脂肪計は、被験者の身体データを入力するための一又は複数のデータ入力キーを備えており、このデータ入力キーの一部又は全てが、電極群のうちの一又は複数の電極と兼用されている。そして、この兼用されている電極への身体による接触動作により、身体データの入力が行われる。このように、電極とデータ入力キーとを兼用することにより、従来よりキーの数を減らすことが可能となる。
【０００８】
データ入力キーと電極群に含まれる電極との兼用は、兼用されている電極に身体の接触を検知する検知回路を接続することによって実現することができる。検知回路を設けた体内脂肪計では、兼用されている電極への接触を検知回路によって検知し、その接触回数に応じて、又は接触時間に応じて被験者の身体データが入力される。
【０００９】
また、データ入力キーと電極との兼用は、兼用されている電極を、可動部とその可動部の下方に設けた押圧ボタンとによって構成することによっても実現することができる。この構成では、可動部への接触動作により押圧ボタンが押圧され、その押圧回数又は押圧時間により、被験者の身体データの入力が行われる。
【００１０】
本発明の体内脂肪計によれば、電極群の何れかの電極と、インピーダンスの計測を開始させるスタートキーとを兼用することもできる。この構成では、この兼用されている電極への身体による接触動作により、インピーダンスの計測が開始される。このように、電極とスタートキーとを兼用することにより、従来よりキーの数を減らすことが可能となる。
【００１１】
スタートキーと電極群に含まれる電極との兼用は、兼用されている電極に身体の接触を検知する検知回路を接続することにより実現される。検知回路を設けた体内脂肪計では、兼用されている電極への接触を検知回路によって検知し、これによって上記電極群によるインピーダンスの計測が開始される。
【００１２】
また、スタートキーと電極との兼用は、兼用されている電極を、可動部とその可動部の下方に設けた押圧ボタンとによって構成することによっても実現することができる。この構成では、上記電極の可動部への接触動作により押圧ボタンが押圧され、これによって上記電極群によるインピーダンスの計測が開始される。
【００１３】
【発明の実施の形態】
以下、本発明の実施の形態を図面に従って説明する。図１は本発明の一実施態様に係る体内脂肪計の平面図である。本実施態様の体内脂肪計１０は、同図の左側に示されている第１の把持部１１と、右側に示されている第２の把持部１２とを有している。これらの把持部１１，１２の間を結合する上下２つの支持部１３，１４の間の中央部には、操作表示盤１５が設けられている。操作表示盤１５には、体脂肪率の計算に必要な身体データや、計測結果としての体脂肪率を表示する表示部１６と、後述するように第１及び第２の電流路形成電極２３，２４により入力される身体データの項目を選択するための入力選択キー１７と、インピーダンスの計測を開始するためのスタートキー１８とが設けられている。
【００１４】
第１の把持部１１及び第２の把持部１２の下側には、それぞれ第１のインピーダンス計測電極２１及び第２のインピーダンス計測電極２２が設けられている。また、第１の把持部１１及び第２の把持部１２の上側には、それぞれ第１の電流路形成電極２３及び第２の電流路形成電極２４が設けられている。インピーダンス計測電極２１及び２２は、被験者が把持部１１及び１２を手で把持したときに電流路形成電極２３及び２４によってその被験者の身体内に形成される電流路に於けるインピーダンスを計測するために設けられているものである。
【００１５】
図２は図１の体内脂肪計１０を紙面裏側から見た背面図である。本実施態様の体内脂肪計１０では、第１の電流路形成電極２３は、被験者の身長、体重、年令、性別等の身体データを入力するためのデータ入力キーと兼用されている。即ち、図２に示すように、電極２３のデータ入力キーとの兼用は、第１の電流路形成電極２３に可動部２５を設け、この可動部２５の下方に押圧ボタン２６を設けることにより実現されている。図３は図２の第１の電流路形成電極２３のＰ−Ｐ線矢視断面図である。図３に示すように、第１の電流路形成電極２３の可動部２５の下方には空間２９が設けられており、この空間２９に押圧ボタン２６が設けられている。従って、可動部２５は、図３に示すように被験者の指３０で押圧されると撓み、この可動部２５の撓みによって押圧ボタン２６が押圧されることになる。
【００１６】
第２の電流路形成電極２４も、同様に身体データを入力するためのデータ入力キーと兼用されており、電極２４のデータ入力キーとの兼用は、電極２４に可動部２７を設けてこの可動部２７の下方に押圧ボタン２８を設けることにより実現されている。そして、図３と同様に可動部２７の撓みによって押圧ボタン２８が押圧される。
【００１７】
本実施態様では、第１の電流路形成電極２３は、その可動部２６を押す度に数値が増加するインクリメントキーとして設定され、第２の電流路形成電極２４は、その可動部２７を押す度に数値が減少するデクリメントキーとして設定されている。従って、第１の電流路形成電極２３と第２の電流路形成電極２４とによる被験者の身体データの入力は、可動部２６を押して数値を増加させるか又は可動部２７を押して数値を減少させることにより行われる。入力される被験者の身体データの具体的な項目、即ち、身長、体重、年令、性別等の項目は、前述のように入力選択キー１７により選択される。
【００１８】
以上の構成を有する本実施態様の体内脂肪計１０は、以下のようにして使用される。まず、被験者は、左手で第１の把持部１１を、右手で第２の把持部１２を把持する。これにより、第１の電流路形成電極２３と第１のインピーダンス計測電極２１とが左手に接触するとともに、第２の電流路形成電極２４と第２のインピーダンス計測電極２２とが右手に接触する。この状態で、被験者は、例えば右手の親指で入力選択キー１７を押すことにより、被験者の身体データの具体的な入力項目を選択する。これにより、表示部１６に入力項目名が表示される。次に、被験者は、第１の電流路形成電極２３の可動部２５を左手の人差し指で図３のように押して表示部の数値を増加させるか、又は第２の電流路形成電極２４の可動部２７を押して表示部の数値を減少させることにより、その項目の正しい値を設定する。次に再び右手の親指で入力選択キー１７を押して次の入力項目を選択し、上記と同様に数値の入力を行う。
【００１９】
全ての項目について入力が終了すると、被験者によりスタートキー１８（図１）が例えば左手の親指で押される。これにより、第１のインピーダンス計測電極２１と第２のインピーダンス計測２２とを介して、被験者の身体に電流路が形成される。この電流路に於けるインピーダンスが、第１の電流路形成電極２３と第２の電流路形成電極２４とによって計測されることになる。
【００２０】
インピーダンスの計測が終了すると、そのインピーダンスの計測値と、上記で予め入力した被験者の身体データとに基づいて被験者の体脂肪率が計算され、その結果が表示部１６に表示される。
【００２１】
なお、上記ではインピーダンスの計測をスタートキー１８を押すことにより開始する構成としたが、このスタートキー１８を省略し、スタートキー１８を第１の電流路形成電極２３又は第２の電流路形成電極２４と兼用した構成とすることができる。スタートキー１８を省略した構成の場合には、全ての入力項目の入力が終了した後、スタートキーと兼用されている第１の電流路形成電極２３の可動部２５又は第２の電流路形成電極２４の可動部２７を押圧することにより、インピーダンスの計測が開始される。
【００２２】
図４は本発明の他の実施態様に係る体内脂肪計４０の斜視図である。本実施態様の体内脂肪計４０は、本体４１と、本体４１の上面に設けられた表示部４５と、入力される身体データの項目を選択するための入力選択キー４９と、インピーダンスの計測を開始するためのスタートキー４８とを有している。
【００２３】
本体４１の上面縁部には、第１の電流路形成電極４３及び第２の電流路形成電極４４が設けられ、また、本体４１の下面縁部には、第１のインピーダンス計測電極４６及び第２のインピーダンス計測電極４７が設けられている。
【００２４】
第１及び第２の電流路形成電極４３及び４４、並びに第１及び第２のインピーダンス計測電極４６及び４７の各機能は、上述の図１の体内脂肪計１０と同様である。
【００２５】
本実施態様の体内脂肪計４０に於いても、第１の電流路形成電極４３及び第２の電流路形成電極４４は、被験者の身体データを入力するためのデータ入力キーと兼用されている。電極４３，４４のデータ入力キーとの兼用は、第１の電流路形成電極４３，４４に身体による接触を検知する検知回路（図示せず）を接続することにより実現される。この検知回路は、インピーダンス計測用の回路と兼用することができ、また、身体の接触による電位変化を検知する公知の回路を用いて構成してもよい。検知回路を設けた本実施態様の体内脂肪計４０では、第１の電流路形成電極４３は、被験者が指で接触する度に数値が増加するインクリメントキーとして設定され、第２の電流路形成電極４４は、接触の度に数値が減少するデクリメントキーとして設定されている。従って、被験者の身体データの入力は、第１の電流路形成電極４３に接触して数値を増加させるか、又は第２の電流路形成電極４４に接触して数値を減少させることにより行われる。入力される被験者の身体データの具体的な項目は、入力選択キー４９により選択される。
【００２６】
以上の構成を有する本実施態様の体内脂肪計４０は、以下のようにして使用される。まず、被験者は、入力選択キー４９を押すことにより、被験者の身体データの具体的な入力項目を選択する。これにより、表示部４５に入力項目名が表示される。次に、第１の電流路形成電極４３又は第２の電流路形成電極４４に接触して表示部４５の数値を増加又は減少させることにより、その項目の正しい値を設定する。次に再び入力選択キー４９を押して次の入力項目を選択し、上記と同様に数値の入力を行う。
【００２７】
全ての項目について入力が終了すると、被験者はスタートキー４８を指で押し、次に、被験者は、第１のインピーダンス計測電極４６と第２のインピーダンス計測電極４７とにそれぞれ左手及び右手の親指が接触し、第１の電流路形成電極４３と第２の電流路形成電極４４とにそれぞれ左手及び右手の人差し指が接触するように、体内脂肪計４０を持つ。これにより、第１のインピーダンス計測電極４６と第２のインピーダンス計測電極４７とを介して、被験者の身体に電流路が形成されるとともに、この電流路に於けるインピーダンスが、第１の電流路形成電極４３と第２の電流路形成電極４４とによって計測される。
【００２８】
インピーダンスの計測が終了すると、そのインピーダンスの計測値と、上記で予め入力した被験者の身体データとに基づいて被験者の体脂肪率が計算され、その結果が表示部４５に表示される。
【００２９】
なお、上記ではインピーダンスの計測をスタートキー４８を押すことにより開始する構成としたが、このスタートキー４８を省略し、スタートキー４８を第１の電流路形成電極４３、第２の電流路形成電極４４、第１のインピーダンス計測電極４６及び第２のインピーダンス計測電極４７の何れかと兼用した構成とすることができる。このようにスタートキー４８を省略した構成の場合には、全ての入力項目の入力が終了した後、兼用されている電極に接触することによりインピーダンスの計測が開始される。
【００３０】
図５は本発明の他の実施態様に係る体内脂肪計５０の斜視図である。本実施態様の体内脂肪計５０は、図４の体内脂肪計４０と同様に、本体５１と、本体５１の上面に設けられた表示部５５と、入力される身体データの項目を選択するための入力選択キー５９と、インピーダンスの計測を開始するためのスタートキー５８とを有している。
【００３１】
本体５１の上面縁部には、第１の電流路形成電極５３及び第２の電流路形成電極５４が設けられている。本実施態様の体内脂肪計５０では、第１の電流路形成電極５３は、被験者の身体データを入力するためのデータ入力キーと兼用されている。電極５３のデータ入力キーとの兼用は、第１の電流路形成電極５３に可動部６１を設け、この可動部６１の下方に押圧ボタン６２を設けることにより実現されている。図６は図５のＱ−Ｑ線矢視断面図である。図６に示すように、第２の電流路形成電極５４では可動部６３の下方に空間６５が設けられており、この空間６５に押圧ボタン６４が設けられている。従って、可動部６３は、図６に示すように被験者の人差し指６６で押圧され、これにより押圧ボタン６４が押圧されることになる。
【００３２】
第１の電流路形成電極５３も、同様に身体データを入力するためのデータ入力キーと兼用されており、電極５３のデータ入力キーとの兼用は、電極５３に可動部６１を設けてこの可動部６１の下方に押圧ボタン６２を設けることにより実現されている。そして、図６と同様に可動部６１が押圧されることにより押圧ボタン６２が押圧される。
【００３３】
本実施態様に於いても、第１の電流路形成電極５３は、その可動部５３を押す度に数値が増加するインクリメントキーとして設定され、第２の電流路形成電極５４は、その可動部６３を押す度に数値が減少するデクリメントキーとして設定されている。従って、第１の電流路形成電極５３と第２の電流路形成電極５４とによる被験者の身体データの入力は、可動部５３を押して数値を増加させるか又は可動部６３を押して数値を減少させることにより行われる。入力される被験者の身体データの具体的な項目は、前述のように入力選択キー５９により選択される。
【００３４】
以上の構成を有する本実施態様の体内脂肪計５０は、以下のようにして使用される。まず、被験者は、入力選択キー５９を押すことにより、被験者の身体データの具体的な入力項目を選択する。これにより、表示部５５に入力項目名が表示される。次に、第１の電流路形成電極５３の可動部６１又は第２の電流路形成電極５４の可動部６３を押圧して表示部５５の数値を増加又は減少させることにより、その項目の正しい値を設定する。次に、再び入力選択キー５９を押して次の入力項目を選択し、上記と同様に数値の入力を行う。
【００３５】
全ての項目について入力が終了すると、被験者はスタートキー５８を指で押す。次に、被験者は、左手及び右手のそれぞれの人差し指が第１の電流路形成電極５３の可動部６１及び第２の電流路形成電極５４の可動部６３に接触し、左手及び右手のそれぞれの親指が第１のインピーダンス計測電極５６及び第２のインピーダンス計測電極５７に接触するようにして、体内脂肪計５０を持つ。これにより、第１のインピーダンス計測電極５６と第２のインピーダンス計測電極５７とを介して、被験者の身体に電流路が形成されるとともに、この電流路に於けるインピーダンスが、第１の電流路形成電極５３と第２の電流路形成電極５４とによって計測される。
【００３６】
インピーダンスの計測が終了すると、そのインピーダンスの計測値と、上記で予め入力した被験者の身体データとに基づいて被験者の体脂肪率が計算され、その結果が表示部５５に表示される。
【００３７】
本実施態様においても、スタートキー５８を省略し、スタートキー５８を第１の電流路形成電極５３、第２の電流路形成電極５４、第１のインピーダンス計測電極５６及び第２のインピーダンス計測電極５７の何れかと兼用した構成とすることができ、その場合には、全ての入力項目の入力が終了した後、スタートキー５８と兼用されている電極に接触することによりインピーダンスの計測が開始される。
【００３８】
なお、上記各実施態様では、電流路形成電極とデータ入力キーとを兼用した場合について説明したが、本発明は、データ入力キーをインピーダンス計測電極と兼用することもできる。また、上記各実施態様では、兼用されている電極を、押す度に数値が増加するタイプのインクリメントキー又は押す度に数値が減少するタイプのデクリメントキーとして設定した場合について説明したが、本発明では、兼用されている電極を、所定時間以上押し続けると数値が増加するタイプのインクリメントキー又は所定時間以上押し続けると数値が減少するタイプのデクリメントキーとして使用することもできる。
【００３９】
【発明の効果】
本発明によれば、身体に電流路を形成しインピーダンスを計測するための電極群を構成する電極が、被験者の身体データを入力するためのデータ入力キーを兼用しているので、必要なキーの数を大幅に減らした体内脂肪計を得ることができる。また、本発明によれば、インピーダンスの計測を開始するためのスタートキーも、上記電極群を構成する電極によって兼用することができるので、必要なキーの数を更に減らした体内脂肪計を得ることができる。従って、本発明によれば、必要なキーの数の減少による体内脂肪計の製造コストの低減を図るとともに、従来より小型の体内脂肪計を得ることができる。
【図面の簡単な説明】
【図１】本発明の一実施態様に係る体内脂肪計の平面図である。
【図２】図１の体内脂肪計を紙面裏側から見た場合の背面図である。
【図３】図２のＰ−Ｐ線矢視断面図である。
【図４】本発明の他の実施態様に係る体内脂肪計の斜視図である。
【図５】本発明の他の実施態様に係る体内脂肪計の斜視図である。
【図６】図５のＱ−Ｑ線矢視断面図である。
【符号の説明】
１０，４０，５０  体内脂肪計
１１  第１の把持部
１２  第２の把持部
１３，１４  支持部
１５  操作表示盤
１６，４５，５５  表示部
１７，４９，５９  入力選択キー
１８，４８，５８  スタートキー
２３，４３，５３  第１の電流路形成計測電極
２４，４４，５４  第２の電流路形成計測電極
２１，４６，５６  第１のインピーダンス計測電極
２２，４７，５７  第２のインピーダンス計測電極
２５，２７，５３，６１，６３  可動部
２６，２８，６２，６４  押圧ボタン
４１，５１  本体
【図１】
0004012302.tif 000002
【図２】
0004012302.tif 000003
【図３】
0004012302.tif 000004
【図４】
0004012302.tif 000005
【図５】
0004012302.tif 000006
【図６】
0004012302.tif 000007